(57)【特許請求の範囲】
【請求項１】
発射レールを有して、この発射レールの球発射基端部上に送られる遊技球を、前記発射レールに沿い発射する球発射装置を備える遊技機において、
前記球発射装置にその直後に沿い設けられる球送り装置であってその球送り穴部から前記遊技球を前記発射レールの前記球発射基端部上に送る球送り装置と、
前記遊技球を前記球送り装置にその後側から供給する球通路と、
前記球通路の通路方向中間部位から分岐して前方斜め下方へ延出する分岐通路と、
前記球通路の前記分岐通路との境界部に形成される連通口部の底壁部に形成してなる連通口部を底壁側連通口部とし、当該底壁側連通口部を横方向に開閉する開閉レバー部を有する開閉手段とを備えて、
この開閉手段によりその開閉レバー部にて前記底壁側連通口部を横方向に開いたときにのみ、前記球通路からの遊技球を、その自重により前記底壁側連通口部から前記分岐通路を通して前方へ排出するようにしたことを特徴とする遊技機。
【請求項２】
発射レールを有して、この発射レールの球発射基端部上に送られる遊技球を、前記発射レールに沿い発射する球発射装置を備えて、当該球発射装置により前記発射レールに沿い発射された遊技球を前記発射レールに戻すように循環させる遊技機において、
前記球発射装置にその直後に沿い設けられる球送り装置であってその球送り穴部から前記遊技球を前記発射レールの前記球発射基端部上に送る球送り装置と、
前記遊技球を前記球送り装置にその後側から供給する球通路と、
前記球通路の通路方向中間部位から分岐して前方斜め下方へ延出する分岐通路と、
前記球通路の前記分岐通路との境界部に形成される連通口部の底壁部に形成してなる連通口部を底壁側連通口部とし、当該底壁側連通口部を横方向に開閉する開閉レバー部を有する開閉手段と備えて、  この開閉手段によりその開閉レバー部にて前記底壁側連通口部を横方向に開いたときにのみ、前記球通路からの遊技球を、その自重により前記底壁側連通口部から前記分岐通路を通して前方へ排出するようにしたことを特徴とする遊技機。
【請求項３】
遊技盤を組み付けてなる本体枠を備えて、
前記開閉手段は、前記開閉レバー部を有する開閉レバーと、駆動部材とを具備して、
前記開閉レバーは、前記開閉レバー部にて前記球通路の前記底壁側連通口部を横方向に開閉するように、前記遊技盤の下側にて前記本体枠に支持されており、
前記駆動部材は、前記遊技盤の下側にて前記本体枠に設けられて、前記開閉レバーを、その開閉レバー部にて前記球通路の前記底壁側連通口部を横方向に開閉するように駆動することを特徴とする請求項１または２に記載の遊技機。
【発明の詳細な説明】
【技術分野】
【０００１】
本発明は、予め封入してなる複数の遊技球を循環させて遊技するようにしたパチンコ遊技機その他の各種遊技機に関する。
【背景技術】
【０００２】
従来、この種の遊技機においては、下記特許文献１に記載の封入球循環式パチンコ遊技機が提案されている。この封入球循環式パチンコ遊技機は、予め封入してなる所定個数の遊技球を球受け皿から発射装置に送り、このように送られる各遊技球を発射装置により順次発射して遊技盤の盤面に沿い転動させた後、再び球受け皿に戻すべく循環させるようになっている。
【先行技術文献】
【特許文献】
【０００３】
【特許文献１】特開２００９−２７３５７６号公報
【特許文献２】特開平０７−３１３６６４号公報
【発明の概要】
【発明が解決しようとする課題】
【０００４】
ところで、上記パチンコ遊技機によれば、その遊技にあたり、所定個数の遊技球は、当該パチンコ遊技機内に封入されたまま、繰り返し循環されることとなる。このため、遊技球の循環回数が高くなると、各遊技球が汚れてしまう。
【０００５】
従って、近年、各遊技球を、適当なタイミング毎に、当該パチンコ遊技機から取り出して、これら各遊技球に対し、清掃等によるメインテナンスを施したいという要請が高くなっている。
【０００６】
これに対しては、上記特許文献２に記載のパチンコ機が提案されている。このパチンコ機においては、球抜き部材が、機枠の背面に設けた封入球樋の下流部位に設けられている。当該球抜き部材が、例えば、手動により回動されて、球抜き口を開放すると、封入球樋内の遊技球が球抜き口から機枠の背面側へ抜かれるようになっている。これにより、抜いた遊技球を清掃したり新たな遊技球と交換したりすることが可能となる。
【０００７】
しかしながら、球抜き部材が機枠の背面側にて封入球樋の下流部位に設けられる構成となっているから、当該構成が複雑になるという不具合を招く。
【０００８】
そこで、本発明は、以上のようなことに対処するため、遊技球を発射レールへその後方から送る球通路を活用して、当該球通路の構成に工夫を凝らし、簡単な構成にて、当該発射レールに送られる遊技球を必要に応じて排出するようにした遊技機を提供することを目的とする。
【課題を解決するための手段】
【０００９】
上記課題の解決にあたり、本発明に係る遊技機は、請求項１の記載によれば、
発射レール（５０ｂ）を有して、この発射レールの球発射基端部（５５）上に送られる遊技球を、上記発射レールに沿い発射する球発射装置（５０）を備える。
【００１０】
当該遊技機において、
球発射装置にその直後に沿うように設けられる球送り装置であってその球送り穴部から上記遊技球を上前記発射レールの上記球発射基端部上に送る球送り装置（７０）と、
上記遊技球を球送り装置にその後側から供給する球通路（６０ｂ）と、
球通路の通路方向中間部位から分岐して前方斜め下方へ延出する分岐通路（６０ｃ）と、
球通路の分岐通路との境界部に形成される連通口部（６２ｂ）の底壁部に形成してなる連通口部（６２ｃ）を底壁側連通口部とし、当該底壁側連通口部を横方向に開閉する開閉レバー部（６４ｂ）を有する開閉手段（６０ｄ）とを備えて、
この開閉手段によりその開閉レバー部にて上記底壁側連通口部を横方向に開いたときにのみ、球通路からの遊技球を、その自重により上記底壁側連通口部から分岐通路を通して前方へ排出するようにしたことを特徴とする。
【００１１】
これによれば、球送り装置が上述のように球発射装置にその直後に沿うように設けられているので、球送り装置によりその球送り穴部から発射レール上に送られる遊技球を、当該発射レール上において早期に安定させることができる。従って、球発射装置による発射レールに沿う遊技球の発射が良好になされ得る。
しかも、球通路が、その底壁側連通口部にて、開閉手段により開閉レバー部でもって横方向に開かれたときにのみ、球通路からの遊技球が、その自重のもとに、球通路の通路方向中間部位から分岐して前方斜め下方へ延出する分岐通路を通して前方へ排出される。このため、球発射装置の発射レール上に送られる遊技球に清掃や交換等のメインテナンスを施す場合には、球通路の底壁側連通口部を開閉手段によりその開閉レバー部にて横方向に開くことで、球通路の通路方向中間部位から分岐通路内に遊技球を順次進入させて前方へ排出しドル箱等に収容することができる。従って、ドル箱等に収容した遊技球を当該ドル箱から取り出せば、当該遊技球に対し上記メインテナンスを容易に施すことができる。
ここで、球通路の底壁側連通口部を開閉手段により開閉レバーにて横方向に開閉可能に構成するのみなので、当該構成を簡単にすることができる。
【００１７】
また、本発明に係る遊技機は、請求項２の記載によれば、
発射レール（５０ｂ）を有して、この発射レールの球発射基端部（５５）上に送られる遊技球を、上記発射レールに沿い発射する球発射装置（５０）を備えて、当該球発射装置により上記発射レールに沿い発射された遊技球を上記発射レールに戻すように循環させるものである。
【００１８】
当該遊技機において、
球発射装置にその直後に沿い設けられる球送り装置であってその球送り穴部から前記遊技球を上記発射レールの上記球発射基端部上に送る球送り装置（７０）と、
上記遊技球を球送り装置にその後側から供給する球通路（６０ｂ）と、
球通路の通路方向中間部位から分岐して前方斜め下方へ延出する分岐通路（６０ｃ）と、
球通路の分岐通路との境界部に形成される連通口部（６２ｂ）の底壁部に形成してなる連通口部（６２ｃ）を底壁側連通口部とし、当該底壁側連通口部を横方向に開閉する開閉レバー部（６４ｂ）を有する開閉手段（６０ｄ）とを備えて、
この開閉手段によりその開閉レバー部にて上記底壁側連路口部を横方向に開いたときにのみ、球通路からの遊技球を、その自重により上記底壁側連通口部から分岐通路を通して前方へ排出するようにしたことを特徴とする。
【００１９】
このように請求項１に記載の発明とは異なり、発射レールに沿い発射された遊技球を発射レールへ戻すように循環させる遊技機においても、遊技球を球送り装置にその後側から供給する球通路の通路方向中間部位から分岐して前方斜め下方へ延出する分岐通路と、球通路の分岐通路との境界部に形成される連通口部の底壁部に形成してなる底壁側連通口部を横方向に開閉する開閉レバー部を有する開閉手段と備えて、この開閉手段によりその開閉レバー部にて底壁側連通口部を横方向に開いたときにのみ、球通路からの遊技球を、その自重により底壁側連通口部から分岐通路を通して前方へ排出するように構成することで、球発射装置の発射レール上に送られる遊技球に清掃や交換等のメインテナンスを施す場合には、開閉手段によりその開閉レバー部にて底壁側連通口部を横方向に開いて、遊技球をその自重のもとに球通路の通路方向中間部位から分岐通路を通して前方へ排出しドル箱等に収容することができる。従って、ドル箱に収容した遊技球に対し上述と同様に上記メインテナンスを容易に施すことができる。
【００２０】
ここで、球通路の底壁側連通口部を開閉手段によりその開閉レバー部にて横方向に開閉可能に構成するのみなので、当該構成を簡単にすることができる。
【００２１】
また、本発明に係る遊技機は、請求項３の記載によれば、請求項１または２に記載の遊技機において、
遊技盤（３０）を組み付けてなる本体枠（２０）を備えて、
開閉手段は、上記開閉レバー部を有する開閉レバー（６４）と、駆動部材（６５、６６、６７）とを具備して、
開閉レバーは、上記開閉レバー部にて球通路の上記底壁側連通口部を横方向に開閉するように、遊技盤の下側にて本体枠に支持されており、
駆動部材は、遊技盤の下側にて本体枠に設けられて、開閉レバーを、その開閉レバー部にて球通路の上記底壁側連通口部を横方向に開閉するように駆動することを特徴とする。
【００２２】
これによれば、開閉手段が、駆動部材による駆動のもとに、開閉レバーにより、その開閉レバー部にて、球通路の分岐通路との境界部の底壁側連通口部を横方向に開くことで、請求項１または２に記載の発明の作用効果がより一層確実に達成され得る。
【発明の効果】
【００２３】
本発明によれば、球発射装置の発射レール上に送られる遊技球に清掃や交換等のメインテナンスを施す場合には、球通路の底壁側連通口部を開閉手段によりその開閉レバー部にて横方向に開くことで、球通路の通路方向中間部位から分岐通路内に遊技球を順次進入させて前方へ排出しドル箱等に収容することで、ドル箱に収容した遊技球に対し上記メインテナンスを容易に施すことができる。また、球通路の底壁側連通口部を開閉手段により開閉レバーにて横方向に開閉可能に構成するのみなので、当該構成を簡単にすることができる。
【００２４】
なお、上記各手段の括弧内の符号は、後述する実施形態に記載の具体的手段との対応関係を示す。
【図面の簡単な説明】
【００２５】
【図１】本発明が適用されるパチンコ遊技機を島設備に配設してなる一実施形態を示す斜視図である。
【図２】図１の島設備から当該パチンコ遊技機を分離した状態にて示す分解斜視図である。
【図３】図１のパチンコ遊技機を示す斜視図である。
【図４】図３のパチンコ遊技機を、前扉を開いた状態にて示す斜視図である。
【図５】図４のパチンコ遊技機の遊技機本体の下部を示す部分正面図である。
【図６】図４のパチンコ遊技機の遊技機本体の下部を示す部分斜視図である。
【図７】図４のパチンコ遊技機の遊技機本体の下部を、球発射装置を分離した状態にて示す斜視図である。
【図８】図７の球発射装置を後側から見た状態で示す斜視図である。
【図９】図７の球発射装置を球送り装置とともに前側から見た状態で示す正面図である。
【図１０】図４のパチンコ遊技機の下部を球回収装置とともに正側から見た斜視図である。
【図１１】図４のパチンコ遊技機の下部を球回収装置とともに示す正面図である。
【図１２】図４のパチンコ遊技機の下部を球回収装置の分解状態にて示す斜視図である。
【図１３】図１１の球回収装置を、開閉機構により球通路の連通口部を閉じた状態にて示す拡大正面図である。
【図１４】図１１の球回収装置を、分岐通路を除去し、かつ開閉機構により球通路の連通口部を閉じた状態にて示す拡大正面図である。
【図１５】図１４の球回収装置を、開閉機構により球通路の連通口部を開いた状態にて示す正面図である。
【図１６】図１２の電磁石のための駆動回路を示すブロック図である。
【図１７】図４のパチンコ遊技機の球回収装置の凹状貯留部から球通路を通り球送り装置に向けて移動する遊技球の移動過程を説明するための斜視図である。
【図１８】図１７の球回収装置の凹状貯留部から球通路を通り球送り装置に向けて移動する遊技球の移動過程を説明するための断面図である。
【図１９】図４のパチンコ遊技機の球回収装置の凹状貯留部から球通路及び分岐通路を通り排出される遊技球の移動過程を説明するための斜視図である。
【図２０】図４のパチンコ遊技機の球回収装置の凹状貯留部から球通路及び分岐通路を通り排出される遊技球の移動過程を説明するための断面図である。
【図２１】図６のパチンコ遊技機の遊技機本体の下部を、分岐通路から遊技球を排出する状態にて示す斜視図である。
【発明を実施するための形態】
【００２６】
以下、本発明の一実施形態を図面により説明する。
【００２７】
図１及び図２は、本発明を適用してなるパチンコ遊技機Ｐの一実施形態が、複数台、ホール（図示しない）内の島設備１０に配設される例を示している。当該複数台のパチンコ遊技機Ｐは、それぞれ、図１〜図４のいずれかにて示すごとく、機枠Ｐｆと、遊技機本体Ｐｂと、前扉Ｆｄと、球処理装置Ｐｓとにより構成されている。
【００２８】
なお、図１において、図示左側斜め後方及び図示右側斜め前方は、当該各パチンコ遊技機Ｐの左方及び右方に対応し、図示左側斜め前方及び図示右側斜め後方は、当該パチンコ遊技機Ｐの前方及び後方に対応し、図示上下方向は、当該各パチンコ遊技機Ｐの上下方向に対応する。
【００２９】
島設備１０は、図１或いは図２にて示すごとく、上記ホールの床面に立設してなる基台１１と、上下両側バー１２、１３と、複数の支持柱１４とにより構成されている。基台１１は、上記ホール内にて左右方向に延在するように、当該ホールの床面上に立設されている。
【００３０】
上下両側バー１２、１３は、複数の支持柱１４とともに、基台１１上に組み付けられており、上側バー１２は、下側バー１３の直上にて複数の支持柱１４を介して当該下側バー１３に平行に位置するように支持されている。
【００３１】
ここで、下側バー１３は、基台１１の上面に沿い固着されている。複数の支持柱１４は、下側バー１３の長手方向に沿い互いに所定間隔をおくように下側バー１３上に立設されて、上方へ延出している。上側バー１２は、複数の支持柱１４によりその各延出端部上に支持されている。
【００３２】
これにより、上下両側バー１２、１３は、複数の支持柱１４のうち各両隣接支持柱１４の間において、当該各両隣接支持柱１４とともに、各パチンコ遊技機Ｐを収容する各収容空間部１５を形成している（図２参照）。
【００３３】
複数のパチンコ遊技機Ｐは、それぞれ、図１にて例示するごとく、島設備１０の各収容空間部１５内に収容されている。
【００３４】
当該複数のパチンコ遊技機Ｐは、共に、同一の構成を有するから、当該複数のパチンコ遊技機Ｐのうちの１台のパチンコ遊技機Ｐ（以下、パチンコ遊技機Ｐｅｘという）を例にとり、その構成について説明する。
【００３５】
パチンコ遊技機Ｐｅｘは、島設備１０の各収容空間部１５（図２参照）のうちの対応収容空間部１５内に収容されており、当該パチンコ遊技機Ｐｅｘは、複数のパチンコ遊技機Ｐの１台であることから、上述と同様に、機枠Ｐｆと、遊技機本体Ｐｂと、前扉Ｆｄと、球処理装置Ｐｓとにより構成されている。
【００３６】
このパチンコ遊技機Ｐｅｘにおいて、機枠Ｐｆ、遊技機本体Ｐｂ及び前扉Ｆｄは、球処理装置Ｐｓを嵌装するための共通切り欠き部Ｎ（図２参照）を形成してなるもので、この共通切り欠き部Ｎは、機枠Ｐｆ及び遊技機本体Ｐｂの各対応左縁下部を、その左側から右方へコ字状に切り欠き、かつ前扉Ｆｄの対応左縁下部をＬ字状（図４参照）に切り欠くことで形成されている。
【００３７】
機枠Ｐｆは、島設備１０の上記対応収容空間部１５内に着脱可能に嵌着されている（図１参照）。遊技機本体Ｐｂは、図４にて示すごとく、本体枠２０と、この本体枠２０にその前面側から嵌装してなる遊技盤３０とにより構成されており、本体枠２０は、その左縁部にて、機枠Ｐｆの左縁部に前後方向へ回動可能に支持されている。
【００３８】
また、遊技機本体Ｐｂは、図４にて示すごとく、案内レール４０及び球発射装置５０を有しており、案内レール４０は、遊技盤３０の盤面に沿い設けられている（図４参照）。当該案内レール４０は、内側レール部４１及び外側レール部４２を有しており、これら内側レール部４１及び外側レール部４２は、遊技盤３０の盤面の外周部に沿い円弧状に組み付けられて、その内周側において、遊技盤３０の盤面上に遊技領域３１を形成している。
【００３９】
また、内側レール部４１は、外側レール部４２の内周側に位置しており、当該内側レール部４１の左側部位と外側レール部４２の左側部位との間には、案内通路４３が、球発射装置５０（後述する）により発射レール５０ｂ（図７参照）に沿い発射される遊技球を遊技領域３１内に案内するように形成されている。
【００４０】
球発射装置５０は、図４〜図７のいずれかにて示すごとく、本体枠２０のうち遊技盤３０の中央直下に対する対応部位に形成した略コ字状収容部２１内においてその後壁部２１ａの開口部２１ｂ（図７参照）に、その前面側から組み付けられており、この球発射装置５０は、発射装置本体５０ａと、発射レール５０ｂとによって構成されている（図７参照）。
【００４１】
発射装置本体５０ａは、図７にて示すごとく、基板５１を有しており、この基板５１は、その外周部にて、本体枠２０の開口部２１の外周部にその前面側から装着されている。
【００４２】
また、当該発射装置本体５０ａは、図７、図８或いは図９にて示すごとく、ケーシング部材５２、ロータリーソレノイド５３、長手状の槌５４及びステップモータＭを有している。
【００４３】
ケーシング部材５２は、基板５１の前面に沿い取り付けられており、このケーシング部材５２は、基板５１及びロータリーソレノイド５３とともに、槌５４を収容するケーシングを構成している。
【００４４】
ここで、ロータリーソレノイド５３は、ケーシング部材５２を介し基板５１に対向するように、ケーシング部材５２に支持されている。また、槌５４は、上記ケーシング内に収容されて、その基端部５４ａにて、回動軸５３ａに回動可能に支持されており、当該槌５４は、その基端部５４ａから、ロータリーソレノイド５３の径方向に沿い外方に向け延出している（図９参照）。
【００４５】
しかして、当該ロータリーソレノイド５３は、操作ハンドルＨの回動操作に伴い、ステップモータＭを介し動作状態におかれて、槌５４を、その後退回動位置から発射レール５０ｂに向け傾動させ、上記ケーシングの開口部を介し、槌５４の槌部５４ｂ（図９参照）をその打撃回動位置にて発射レール５０ｂの球発射基端部５５ａに対向させる。なお、上記ケーシングの開口部は、発射レール５０ｂの後述する球発射基端部５５ａ（図７参照）に対向するように形成されている。
【００４６】
これにより、槌５４は、その槌部５４ｂにて、発射レール５０ｂの球発射基端部５５ａに後述のように送られる遊技球を打って、当該遊技球を発射レール５０ｂに沿い発射させる。これに伴い、このように発射された遊技球は、案内レール４０の案内通路４３に沿い内側レール部４１及び外側レール部４２により遊技領域３１内に向け案内される。
【００４７】
ステップモータＭは、基板５１の後面に対し、回動軸５３ａと同軸的に位置するように組み付けられている。しかして、当該ステップモータＭは、操作ハンドルＨの回動操作に伴い作動して、槌５４をその後退回動位置と打撃回動位置との間において繰り返し回動させる。
【００４８】
発射レール５０ｂは、支持壁５１ａにその下縁部から前方へ延出するように支持されている。
【００４９】
ここで、支持壁５１ａは、上記ケーシングの上記開口部から案内レール４０の案内通路４３に向けて基板５１の前面に沿い左側上方へ傾斜状に延出されている。これに伴い、発射レール５０ｂは、支持壁５１ａの下縁部に沿い上記ケーシングの上記開口部から案内レール４０の案内通路４３に向けて左側上方へ傾斜状に延出されている。
【００５０】
また、当該発射レール５０ｂは、その球発射基端部５５にて、上記ケーシングの上記開口部に対向するように位置して、支持壁５１ａの下縁部に沿い案内レール４０の案内通路４３に向けて左側上方へ傾斜状に延出されている。
【００５１】
このような構成によれば、当該発射レール５０ｂは、その球発射基端部５５にて、槌５４の槌部５４ｂに対向し得るように、上記ケーシングの上記開口部から案内レール４０の案内通路４３に向けて基板５１の下縁部に沿い左側上方へ傾斜状に延出されている。
【００５２】
しかして、当該発射レール５０ｂの球発射基端部５５上に導入孔部５１ｃを通して送られた遊技球が槌５４の槌部５４ｂにより打たれたとき、当該遊技球は、発射レール５０ｂに沿いその球発射基端部５５から案内レール４０の案内通路４３に向けて発射される。なお、導入孔部５１ｃは、基板５１及び支持壁５１ａのうち発射レール５０ｂの長手方向中間部位に対する共通対応部位に形成されている。
【００５３】
但し、本実施形態では、カバー壁５６が、図７にて示すごとく、発射レール５０ｂに対し並行に対向するように、支持壁５１ａの上縁部から前方へ延出されており、当該カバー壁５６は、上記ケーシングの上記開口部から案内レール４０の案内通路４３に向けて支持壁５１ａの上縁部に沿い左側上方へ傾斜状に延出されている。
【００５４】
ここで、当該カバー壁５６は、図７にて示すごとく、基端側壁部位５６ａ（上記ケーシングの上記開口部側の壁部位）及び延出端側壁部位５６ｂでもって構成されている。基端側壁部位５６ａは、発射レール５０ｂの球発射基端部５５側部位に対向するように、上記ケーシングの上記開口部側から延出端側壁部位５６ｂ側にかけて上方へ傾斜状に支持壁５１ａの上縁部に沿い延出されている。
【００５５】
このことは、基端側壁部位５６ａは、延出端側壁部位５６ｂ側から上記ケーシングの上記開口部側にかけて、発射レール５０ｂとの間隔を順次幅狭にすることを意味する。本実施形態では、基端側壁部位５６ａと発射レール５０ｂの球発射基端部５５側部位との間隔は、上記ケーシングの上記開口部側にて遊技球の外径よりも幾分狭く、延出端側壁部位５６ｂ側にて、遊技球の外径よりも幾分広くなっている。
【００５６】
従って、遊技球が発射レール５０ｂの球発射基端部５５に位置するとき、当該遊技球は、発射レール５０ｂの球発射基端部５５とカバー壁５６の基端側壁部位５６ａとの間から上記ケーシングの上記開口部側へ落下することなく、球発射基端部５５と基端側壁部位５６ａとの間に保持され得る。このことは、カバー壁５６は、基端側壁部位５６ａにて、発射レール５０ｂと共に、その球発射基端部５５に位置する遊技球に対するストッパとしての役割を果たすことを意味する。なお、延出端側壁部位５６ｂと発射レール５０ｂの球発射基端部５５以外の部位との間隔は、遊技球の外径よりも幾分大きい。
【００５７】
また、遊技機本体Ｐｂは、図６及び図９〜図１５のいずれかにて示すごとく、球回収装置６０及び球送り装置７０を備えている。
【００５８】
球回収装置６０は、遊技盤３０の直下にて遊技機本体Ｐｂに支持されており、当該球回収装置６０は、球貯留体６０ａと、球通路６０ｂとを備えている。球貯留体６０ａは、図６及び図９〜図１５のいずれかにて示すごとく、上方へ開口するように、凹状貯留部６１を形成してなるもので、この凹状貯留部６１は、その内部へ上方から落下する遊技球を収容して貯留する。ここで、凹状貯留部６１の内部に落下する遊技球は、遊技盤３０の盤面に沿い転動してアウト口３１ａ（図３参照）或いは各種の盤面部品（後述する）に進入した遊技球、または球発射装置５０によりその発射レール５０ｂに沿い案内レール４０の案内通路４３内に発射された遊技球のうち遊技領域３１内に達することなくそのまま案内通路４３を逆戻りする遊技球をいう。なお、アウト口３１ａは、遊技盤３０の下縁中央部にて案内レール４０の内側レール部４１の下端部直上に開口形成されている。これにより、遊技盤３０の盤面に沿い盤面部品のいずれにも入ることなく落下する遊技球が、アウト口３１ａに進入して球回収装置６０の球貯留体６０ａ内に落下する。
【００５９】
球通路６０ｂは、図１０〜図１２のいずれかにて示すごとく、矩形筒状に形成されており、当該球通路６０ｂは、凹状貯留部６１の底壁の左右方向略中央部に形成した底壁開口部６１ａから延出している。なお、この球通路６０ｂは、遊技球を順次円滑に通過させ得るように、構成されている。
【００６０】
当該球通路６０ｂは、その基端部にて、基端側連通口部６２ａとして形成されており、この基端側連通口部６２ａは、凹状貯留部６１の底壁開口部６１ａに連結されている。当該球通路６０ｂは、図１０或いは図１１にて示すごとく、その基端側連通口部６２ａから左側斜め下方に向けて延出しており、当該球通路６０ｂの延出端部は、球送り装置７０に向け前方へ水平状に開口する先端側矩形筒状連通口部６２ｂとして形成されている。ここで、当該先端側矩形筒状連通口部６２ｂは、図１１にて示すごとく、その底壁部にて、水平状に位置するように、形成されている。
【００６１】
また、球回収装置６０は、さらに、分岐通路６０ｃと、開閉機構６０ｄとを備えている。
【００６２】
分岐通路６０ｃは、その基端部にて、前方に向けて水平状に延出する基端側矩形筒状連通口部６３ａとして形成されている。この基端側矩形筒状連通口部６３ａは、その上壁部にて、連通口部６３ｂを形成してなり、当該基端側矩形筒状連通口部６３ａは、その上壁部にて、先端側矩形筒状連通口部６２ｂの底壁部に下方から接合して、連通口部６３ｂでもって、先端側矩形筒状連通口部６２ｂの底壁部に形成した連通口部６２ｃ（図１８或いは図２０参照）を通して先端側矩形筒状連通口部６２ｂ内に開口している。なお、先端側矩形筒状連通口部６２ｂの連通口部６２ｃは、その外周左縁部にて、後述するＬ字状開閉レバー６４の開閉レバー部６４ｂを左側から右側へ挿入可能に開口形成されている。
【００６３】
また、当該分岐通路６０ｃは、その基端側矩形筒状連通口部６３ａの延出端部から分岐して前方斜め下方に向けて延出しており、この分岐通路６０ｃの延出端部は、前方に向けて水平状に開口する先端側矩形筒状連通口部６３ｃとして形成されている。ここで、当該先端側矩形筒状連通口部６３ｃは、図５或いは図６にて示すごとく、球発射装置５０の基板５１の左下側隅角部に切り欠き形成してなる切り欠き部５１ｂ（図５、図７或いは図９参照）を通りその後方から前方に向けて延出している。このことは、分岐通路６０ｃが、その先端側矩形筒状連通口部６３ｃにて、球発射装置５０の基板５１の左下側隅角部から前方に延出することを意味する。
【００６４】
以上のように構成した球通路６０ｂ及び分岐通路６０ｃによれば、球通路６０ｂの連通口部６２ｃが、開閉機構６０ｄにより後述のごとく閉じられているとき、球貯留体６０ａの凹状貯留部６１内に貯留されている各遊技球は、凹状貯留部６１の底壁開口部６１ａから球通路６０ｂ内にその基端側連通口部６２ａを通り順次進入した後、当該球通路６０ｂの先端側矩形筒状連通口部６２ｂから球送り装置７０に向けて供給される。
【００６５】
また、球通路６０ｂの連通口部６２ｃが、開閉機構６０ｄにより後述のごとく開かれているとき、上述のように球通路６０ｂ内に進入した各遊技球は、当該球通路６０ｂの連通口部６２ｃを通り分岐通路６０ｃ内にその基端側矩形筒状連通口部６３ａを通り進入した後、分岐通路６０ｃ内にその基端側矩形筒状連通口部６３ａから進入し、ついで、当該分岐通路６０ｃの先端側矩形筒状連通口部６３ｃから前方へ排出される。
【００６６】
開閉機構６０ｄは、図１０、図１１及び図１３〜図１５のいずれかにて示すごとく、球通路６０ｂの連通口部６２ｃを開閉するように、遊技機本体Ｐｂの適所に後述のごとく組み付けられている。
【００６７】
当該開閉機構６０ｄは、図１１或いは図１２にて示すごとく、Ｌ字状開閉レバー６４と、捻りコイルスプリング６５と、電磁石６６とを備えている。
【００６８】
Ｌ字状開閉レバー６４は、鉄片等の磁性片からなるもので、この開閉レバー６４は、傾動レバー部６４ａと、開閉レバー部６４ｂとにより構成されている。傾動レバー部６４ａは、その筒状基端部６４ｃにて、遊技機本体Ｐｂの略コ字状収容部２１の後壁部２１ａの略中央下部にピン２１ｃにより左右方向へ傾動可能に支持されており、この傾動レバー部６４ａは、その筒状基端部６４ｃから上方に向け延出している。なお、ピン２１ｃは、略コ字状収容部２１の後壁部２１ａの略中央下部から前方へ突出している。
【００６９】
開閉レバー部６４ｂは、傾動レバー部６４ａの延出端部から右側へＬ字状に折れ曲がって延出しており、当該開閉レバー部６４ｂは、球通路６０ｂの先端側矩形筒状連通口部６２ｂの連通口部６２ｃ内にその左側から右方に向け挿入され得るようになっている。これにより、開閉レバー部６４ｂは、先端側矩形筒状連通口部６２ｂの連通口部６２ｃへの挿入により当該連通口部６２ｃを閉じ、先端側矩形筒状連通口部６２ｂの連通口部６２ｃからの左側への脱出により、当該連通口部６２ｃを開く（図１３〜図１５参照）。
【００７０】
捻りコイルスプリング６５は、そのコイル部６５ａでもって、Ｌ字状開閉レバー６４の筒状基端部６４ｃと略コ字状収容部２１の後壁部２１ａの上記略中央下部との間においてピン２１ｃに同軸的に嵌装されているもので、当該捻りコイルスプリング６５は、その一側端部６５ｂにて、傾動レバー部６４ａの長手方向中間部位に左側から係止し、他側端部６５ｃにて、略コ字状収容部２１の後壁部２１ａの上記略中央下部に二股状突起２１ｄ（図１４参照）を介して係止している。ここで、二股状突起２１ｄは、略コ字状収容部２１の後壁部２１ａの上記略中央下部から前方へ二股状に突出している。これに伴い、捻りコイルスプリング６５の他側端部６５ｃは、二股状突起２１ｄの二股部内に挿入することで、二股状突起２１ｄに係止している。
【００７１】
しかして、当該捻りコイルスプリング６５は、開閉レバー６４の傾動レバー部６４ａを、その筒状基端部６４ｃを基準として、常時、右方へ付勢する。このことは、当該捻りコイルスプリング６５が、その付勢力により、開閉レバー６４の開閉レバー部６４ｂを球通路６０ｂの先端側矩形筒状連通口部６２ｂの連通口部６２ｃ内に常時挿入することを意味する（図１３或いは図１４参照）。従って、開閉レバー６４が、その傾動レバー部６４ａにて、捻りコイルスプリング６５に抗して、筒状基端部６４ｃを基準として、左側へ傾動したとき、開閉レバー６４が、その開閉レバー部６４ｂにて、球通路６０ｂの先端側矩形筒状連通口部６２ｂの連通口部６２ｃから左側へ脱出する（図１５参照）。
【００７２】
電磁石６６は、図１４にて示すごとく、コ字状ヨーク６６ａと、ソレノイド状電磁コイル６６ｂとを備えている。
【００７３】
コ字状ヨーク６６ａは、両腕部６６ｃにて、開閉レバー６４の傾動レバー部６４ａにその左側から対向するように、筒状ピン２１ｄ及びねじ２１ｅを介して略コ字状収容部２１の後壁部２１ａの上記略中央下部に支持されている。
【００７４】
ソレノイド状電磁コイル６６ｂは、コ字状ヨーク６６ａの両腕部６６ｃの一方に同軸的に巻装されており、当該ソレノイド状電磁コイル６６ｂは、その励磁により、コ字状ヨーク６６ａの両腕部６６ｃにて傾動レバー部６４ａに対する吸引力を発生する。また、当該ソレノイド状電磁コイル６６ｂは、その消磁により、上記吸引力の発生を停止する。
【００７５】
ここで、筒状ピン２１ｄは、略コ字状収容部２１の後壁部２１ａの略中央下部から前方へ突出している。これに伴い、コ字状ヨーク６６ａにおいて両腕部６６ｃを連結する連結基部が、その前後幅方向にて、筒状ピン２１ｄに嵌装されるとともに、筒状ピン２１ｄの内周部に形成した雌ねじ部にねじ２１ｅを締着することで、コ字状ヨーク６６ａを、両腕部６６ｃにて上述のように傾動レバー部６４ａに対向させるように、略コ字状収容部２１の後壁部２１ａの略中央下部に支持している。
【００７６】
また、開閉レバー６４の傾動レバー部６４ａが球通路６０ｂの先端側矩形筒状連通口部６２ｂの連通口部６２ｃ内に挿入されて当該連通口部６２ｃを閉じた状態（図１４参照）にあるとき、電磁石６６が、コ字状ヨーク６６ａによりその吸引力でもって、図１５にて示すごとく傾動レバー部６４ａを吸引して左側へ傾動させて球通路６０ｂの先端側矩形筒状連通口部６２ｂの連通口部６２ｃを開くように、コ字状ヨーク６６ａの両腕部６６ｃと傾動レバー部６４ａとの間の対向間隔が設定されている。
【００７７】
また、当該開閉機構６０ｄは、図１６にて示すごとく、電磁石６６のソレノイド状電磁コイル６６ｂのための駆動回路６７を備えている。この駆動回路６７は、操作スイッチ６７ａ及びスイッチング回路６７ｂを備えており、操作スイッチ６７ａは、遊技機本体Ｐｂの本体枠２０の下部の適所にその前面側から組み付けられている。
【００７８】
この操作スイッチ６７ａは、押しボタン式常開型スイッチからなるもので、当該操作スイッチ６７ａは、初回の押動操作により、オンしてこのオン状態を保持し、その後の再度の押動操作によりオフするようになっている。ここで、当該操作スイッチ６７ａは、そのオン状態にて、パチンコ遊技機Ｐｅｘの電源回路（図示しない）からの電圧をスイッチング回路６７ｂに印加する。また、この印加電圧は、操作スイッチ６７ａのオフによりスイッチング回路６７ｂから遮断される。なお、上記電源回路は、遊技盤３０の適所にその後側から取り付けられている。
【００７９】
スイッチング回路６７ｂは、上記電源回路からの印加電圧に基づきオンして
球送り装置７０は、球回収装置６０の球通路６０ｂと球発射装置５０との間に位置するように遊技盤本体Ｐｂの適所に取り付けられており、当該球送り装置７０は、その球導入口部（図示しない）にて、球通路６０ｂの先端側矩形筒状連通口部６２ｂに連結されて、当該先端側矩形筒状連通口部６２ｂ内に開口している。また、当該球送り装置７０は、球送り穴部（図示しない）にて、球発射装置５０の導入孔部５１ｃに連結されて、当該導入孔部５１ｃ内に開口している。
【００８０】
しかして、当該球送り装置７０は、球通路６０ｂからその先端側矩形筒状連通口部６２ｂを通り遊技球を順次導入して、当該遊技球を、順次、１個ずつ、球発射装置５０の導入孔部５１ｃを通り発射レール５０ｂ上に送り出す。
【００８１】
また、遊技機本体Ｐｂは、多数の遊技釘、大入賞口装置や始動入賞口装置など遊技者に有利な遊技状態を与えるための入賞口装置、その他の各種の盤面部品（図示しない）を有しており、これら盤面部品は、遊技盤３０の盤面に設けられている。なお、上記多数の遊技釘は、遊技盤３０の盤面に遊技領域３１内にて分散して打ち込まれている。
【００８２】
前扉Ｆｄは、図１にて示すごとく、前枠Ｆｄａ、透明の窓ガラスＦｄｂ及び操作ハンドルＨを備えており、前枠Ｆｄａは、その左縁部にて、遊技機本体Ｐｂの左縁部を介し、機枠Ｐｆの左縁部に前後方向に回動可能に支持されている。
【００８３】
窓ガラスＦｄｂは、前枠Ｆｄａにその中空部に対応するように後面側から組み付けられており、当該窓ガラスＦｄｂは、その前側から遊技盤３０を透視可能となっている。ハンドルＨは、図３或いは図４にて示すごとく、前枠Ｆｄａの右下側隅角部にその前面側から回動操作可能に支持されている。
【００８４】
球処理装置Ｐｓは、パチンコ遊技機Ｐｅｘの共通切り欠き部Ｎ（図１〜図４のいずれか参照）内に、図３にて示すごとく、嵌装されており、当該球処理装置Ｐｓは、図１にて示すごとく、球払い出し部８０ａ、連結部８０ｂ及び記憶部８０ｃでもって構成されている。
【００８５】
しかして、当該球処理装置Ｐｓは、大入賞口装置や始動入賞口装置等の入賞口装置への遊技球の入賞に伴い所定数の遊技球を球払い出し部８０ａにより払い出して連結部８０ｂ及び記憶部８０ｃを介し球払い出し部８０ａに循環させるようになっている。なお、記憶部８０ｃは、遊技球の払い出し数を記憶して、プリペイドカードに書き込み可能となっている。
【００８６】
本実施形態では、当該球処理装置Ｐｓの前面は、球払い出し部８０ａにより排出した遊技球を受ける球受け部の前蓋に相当する。
【００８７】
ここで、当該球処理装置Ｐｓの前面である前蓋は、透明部材で構成されている。従って、遊技者にとって、賞品球が払出されたことが球処理装置Ｐｓの前蓋を通して視認可能である。
【００８８】
また、当該前蓋は開閉自在になっているので、遊技者は賞品球として払出された遊技球を自由に取り出すことが可能となっている。
【００８９】
また、球受け部である貯留部６１の下流には遊技者の持ち球として計数する球計数センサーが配置されている。このため、この球計数センサーが遊技球の通過を検出すると、当該球計数センサーは遊技者の持ち球として加算する。従って、上記前蓋を開放しこの球計数センサーを不正に操作して持ち球を増加させることがなされる恐れがある。従って、この前蓋を開放したときに球計数センサーへの遊技球の通過を阻止する構成、例えば、前蓋の開放に連動して球計数センサーの検出部に遊技球の通過を阻止するスライダーを突出させるように構成したり、また、新たに前蓋の開放を検出するセンサーを設け、前蓋の開放を検出したときに、球計数センサーの検出を制御的に無効にするように構成してもよい。
【００９０】
また、遊技者自身が遊技可能な遊技球数を確認可能でなければいけないが、本実施形態の構成では遊技盤の盤面から流下する遊技球を遊技機の内部側で再び発射装置の後方から発射レールに供給するという遊技球循環構成となっているので、遊技者が実際の遊技球を確認することが困難になる。その場合、発射球数や賞品球数など遊技可能球数を管理する制御基盤からの球数を表示する表示器を遊技機の前面側に設けてもよい。
【００９１】
以上のように構成した本実施形態において、当該パチンコ遊技機Ｐｅｘが、遊技者による遊技可能状態にあるものとする。このような状態において、遊技者がハンドルＨを操作していなければ、球発射装置５０は、そのロータリーソレノイド５３（図７参照）の消磁のもとに、停止状態にある。
【００９２】
また、開閉機構６０ｄにおいては、電磁石６６のソレノイド状電磁コイル６６ｂの消磁のもと、開閉レバー６４が、その開閉レバー部６４ｂにて、捻りコイルスプリング６５により付勢されて、球通路６０ｂの先端側矩形筒状連通口部６２ｂの連通口部６２ｃを閉じている。
【００９３】
このとき、遊技球が球貯留体６０ａの凹状貯留部６１から球通路６０ｂ、球送り装置７０及び球発射装置５０の導入孔部５１ｃを通して送られて発射レール５０ｂの球発射基端部５５上に位置するものとする。なお、現段階では、球通路６０ｂの連通口部６２ｃが開閉機構６０ｄにより上述のごとく閉じられているから、遊技球が球通路６０ｂから分岐通路６０ｃ内に進入することはない。
【００９４】
このような状態において、遊技者がハンドルＨを回動操作すると、球発射装置５０が、そのロータリーソレノイド５３にて、槌駆動回路（図示しない）により駆動されて、ハンドルＨの回動操作角度に応じて、上記槌を発射レール５０ｂの球発射基端部５５に向けて回動させる。
【００９５】
すると、上述のように発射レール５０ｂの球発射基端部５５上に位置する遊技球が、槌５４の槌部５４ｂによって打たれて発射レール５０ｂに沿い案内レール４０の案内通路４３に向けて発射される。以後、遊技球が球送り装置７０から球導入孔部５１ｃを通して発射レール５０ｂの球発射基端部５５上に送られる毎に、当該遊技球が、上述と同様にして槌５４により発射レール５０ｂに沿い案内レール４０の案内通路４３に向けて発射される。
【００９６】
以上のようにして繰り返し発射される各遊技球のうち、案内レール４０の案内通路４３に沿い内側レール部４１及び外側レール部４２により遊技領域３１内に向け案内される遊技球は、遊技盤３０の盤面に沿い各種の盤面部品のいずれかに向け或いはこの盤面部品からそれて転動していく。
【００９７】
そして、上述のように各種の盤面部品のいずれかに向け転動していく遊技球が、例えば、大入賞口装置に入賞すると、当該遊技球は、球回収装置６０の凹状貯留部６１内に落下して貯留された後、球通路６０ｂ内にその基端側連通口部６２ａを通り凹状貯留部６１の底壁開口部６１ａから進入する（図１７及び図１８参照）。なお、上述のような入賞遊技球を検出することにより、球処理装置Ｐｓが、所定数の遊技球を球払い出し部８０ａにより払い出して連結部８０ｂ及び記憶部８０ｃを介し球払い出し部８０ａに循環させる。
【００９８】
また、上述のように盤面部品からそれて転動していく遊技球がアウト口３１ａに進入すると、当該遊技球は、球回収装置６０の凹状貯留部６１内に落下して貯留された後、球通路６０ｂ内にその基端側連通口部６２ａを通り凹状貯留部６１の底壁開口部６１ａから進入する。
【００９９】
また、上述のように繰り返し発射される各遊技球のうち案内通路４３に向けて発射されても、遊技領域３１内に達しない遊技球は、そのまま逆戻りして、ファウル球として、球回収装置６０の凹状貯留部６１内に落下して貯留された後、球通路６０ｂ内にその基端側連通口部６２ａを通り凹状貯留部６１の底壁開口部６１ａから進入する。
【０１００】
現段階では、球通路６０ｂの先端側矩形筒状連通口部６２ｂは、その連通口部６２ｃにおいて、上述のごとく、開閉機構６０ｄにより閉じられている。このため、以上のようにして凹状貯留部６１から球通路６０ｂ内に進入した遊技球は、図１７或いは図１８にて示すごとく、分岐通路６０ｃ内に進入することなく、球通路６０ｂを通り球送り装置７０に向けて案内される。
【０１０１】
しかして、このように案内される遊技球が、球通路６０ｂの先端側矩形筒状連通口部６２ｂに達すると、当該遊技球は、先端側矩形筒状連通口部６２ｂを通り球受け装置７０内にその球導入口部から進入する。
【０１０２】
このように球通路６０ｂから球送り装置７０に向け案内される遊技球毎に、当該遊技球は、球送り装置７０内にその球導入口部から進入した後、球送り装置７０の球送り穴部から基板５１及び支持壁５１ａに共通な球導入孔部５１ｃを通り発射レール５０ｂの球発射基端部５５上に送られる。このことは、発射レール５０ｂから発射される遊技球毎に、当該遊技球は、発射レール５０ｂに戻るように循環することを意味する。
【０１０３】
すると、このように発射レール５０ｂの球発射基端部５５上に送られる遊技球毎に、当該遊技球は、球発射装置５０によりその発射レール５０ｂに沿い案内レール４０の案内通路４３に向けて発射される。これに伴い、このようにして発射される遊技球毎に、当該遊技球は、上述と同様に、発射レール５０ｂに戻るように循環される。
【０１０４】
ところで、当該パチンコ遊技機Ｐｅｘによる遊技が繰り返しなされている間には、循環する各遊技球に汚れが生じる。このため、当該循環遊技球の各々を当該パチンコ遊技機Ｐｅｘから取り出して清掃する等のメインテナンスが必要となるメインテンス時期が期間をおいて繰り返し到来する。
【０１０５】
このようにメインテンス時期が到来したとき、まず、前扉Ｆｄを、図４にて示すごとく、遊技機本体Ｐｂから前方へ開く。これにより、遊技機本体Ｐｂの遊技盤３０が、その盤面にて、前方へ露出されることとなる。
【０１０６】
このとき、開閉機構６０ｄにおいて、開閉レバー６４が、その開閉レバー部６４ｂにて、上述のごとく、球通路６０ｂの先端側矩形筒状連通口部６２ｂの連通口部６２ｃを閉じている。そこで、駆動回路６７の操作スイッチ６７ａを押動操作すれば、当該操作スイッチ６７ａがオンし、スイッチング回路６７ｂが上記電源回路から電圧を印加されて、電磁石６６のソレノイド状電磁コイル６６ｂを励磁する。
【０１０７】
すると、電磁石６６のコ字状ヨーク６６ａが、その両腕部６６ｃにて、吸引力を発生して開閉レバー６４の傾動レバー部６４ａを吸引する。このため、開閉レバー６４が、捻りコイルスプリング６５に抗して、傾動レバー部６４ａの筒状基端部６４ｃを基準として、図１４にて図示反時計方向に傾動して、開閉レバー部６４ｂを球通路６０ｂの先端側矩形筒状連通口部６２ｂの連通口部６２ｃから左側へ脱出させる。このことは、球通路６０ｂの先端側矩形筒状連通口部６２ｂが、その連通口部６２ｃにて開かれることを意味する。
【０１０８】
これに伴い、上述のように凹状貯留部６１から球通路６０ｂ内に進入した遊技球が、図１９或いは図２０にて示すごとく、球通路６０ｂの先端側矩形筒状連通口部６２ｂから球送り装置７０に向かうことなく、当該先端側矩形筒状連通口部６２ｂの連通口部６２ｃを通り分岐通路６０ｃの基端側矩形筒状連通口部０内にその連通口部６３ｂから順次進入する。このように順次進入する遊技球は、分岐通路６０ｃによりその先端側矩形筒状連通口部６３ｃに向けて順次案内される（図２０参照）。そして、このように案内される遊技球は、図２１にて示すごとく、順次、分岐通路６０ｃの先端側矩形筒状連通口部６３ｃから前方へ脱出して落下する。
【０１０９】
このことは、当該遊技球が、順次、分岐通路６０ｃの先端側矩形筒状連通口部６３ｃから前方へ排出されることを意味する。
【０１１０】
従って、ドル箱Ｄｂを、図２１にて示すごとく、遊技盤３０の前側にて、分岐通路６０ｃの先端側矩形筒状連通口部６３ｃの直下に置いておけば、上述のように落下する各遊技球は、順次、ドル箱Ｄｂに収容される。このことは、上述のように落下する各遊技球が、遊技盤３０の前側にてドル箱Ｄｂ内に収容されることを意味する。
【０１１１】
これにより、このように各遊技球を収容したドル箱Ｄｂを、遊技盤３０の前側から容易に持ち出して、各収容遊技球に対し清掃或いは交換等によるメインテナンスを施すことができる。また、このようにメインテナンスを施した各遊技球は、再び、球回収装置６０に戻せばよい。
【０１１２】
ここで、球送り装置７０は、球発射装置５０にその直後に沿うように配設されている。従って、球送り装置７０から発射レール５０ｂ上に送られる遊技球を当該発射レール５０ｂ上にて早期に安定させることができる。その結果、上述のような遊技球に対するメインテナンスに加え、球発射装置５０による発射レール５０ｂに沿う遊技球の発射が良好になされ得る。
【０１１３】
また、本実施形態では、球通路６０ｂが、分岐通路６０ｃを上述のごとく球通路６０ｂに連結して構成されるとともに、球通路６０ｂが、その連通口部６２ｃにて、分岐通路６０ｃの連通口部６３ｂに連通可能に構成されている。そして、開閉機構６０ｄが、上述のごとく、球通路６０ｂの連通口部６２ｃを活用して、当該連通口部６２ｃを開閉可能に設けられている。従って、遊技球を遊技盤３０の前側に排出する構成が簡単に提供され得る。
【０１１４】
なお、本発明の実施あたり、上記実施形態とは異なり、球通路６０ｂの連通口部６２ｃに代えて、分岐通路６０ｃの連通口部６３ｂを開閉レバー６４の開閉レバー部６４ｂにより開閉するようにしてもよい。
【０１１５】
また、本発明の実施にあたり、上記実施形態にて述べた球通路６０ｂを、上記実施形態とは異なり、その通路方向中間部位から遊技球を前方へ排出可能に構成してもよい。
【０１１６】
また、本発明の実施にあたり、上記実施形態にて述べた球通路６０ｂを、上記実施形態とは異なり、遊技球を球送り装置７０から外れて前方へ排出可能に構成してもよい。
【０１１７】
また、本発明の実施にあたり、発射レール５０ｂは、上記実施形態とは異なり、球発射基端部を、いわゆるＭレールで構成してもよい。
【０１１８】
また、本発明の実施にあたり、上記実施形態にて述べた遊技球を封入循環させるように構成してなるパチンコ遊技機に限ることなく、各種のパチンコ遊技機等の遊技機に本発明を適用してもよい。
【符号の説明】
【０１１９】
２０…本体枠、３０…遊技盤、５０…球発射装置、５０ｂ…発射レール、
５５…球発射基端部、６０ｂ…球通路、６０ｃ…分岐通路、６０ｄ…開閉機構、
６２ｃ、６３ｂ…連通口部、６４…開閉レバー、６５…捻りコイルスプリング、
６６…電磁石、６７…駆動回路、７０…球送り装置。
【図１】
0005873645.tif 000002
【図２】
0005873645.tif 000003
【図３】
0005873645.tif 000004
【図４】
0005873645.tif 000005
【図５】
0005873645.tif 000006
【図６】
0005873645.tif 000007
【図７】
0005873645.tif 000008
【図８】
0005873645.tif 000009
【図９】
0005873645.tif 000010
【図１０】
0005873645.tif 000011
【図１１】
0005873645.tif 000012
【図１２】
0005873645.tif 000013
【図１３】
0005873645.tif 000014
【図１４】
0005873645.tif 000015
【図１５】
0005873645.tif 000016
【図１６】
0005873645.tif 000017
【図１７】
0005873645.tif 000018
【図１８】
0005873645.tif 000019
【図１９】
0005873645.tif 000020
【図２０】
0005873645.tif 000021
【図２１】
0005873645.tif 000022